(57)【特許請求の範囲】
【請求項１】
複数のガラス板の集合した隅部を支持具にて支持して構成した大型ガラス面の室内側を支持する構造において、
前記大型ガラス面の室内側上下方向に亘って長尺平板状のガラスリブを、そのリブの側端面を前記ガラス板に対向させた状態で配置するとともに、前記支持具を該ガラスリブに取り付け、前記ガラスリブのうち床側近傍を、床上に立設した鉄骨柱にて接続したことを特徴とする大型ガラス面の支持構造。
【請求項２】
前記支持具は吊りワイヤを介して天井側躯体に引張されていることを特徴とする請求項１記載の大型ガラス面の支持構造。
【請求項３】
前記ガラスリブと前記鉄骨柱との接続部分に照明具を組込んだことを特徴とする請求項１又は２記載の大型ガラス面の支持構造。
【発明の詳細な説明】
【０００１】
【発明の属する技術分野】
本発明は、建物の外壁面を構成する大型ガラス面の支持構造に関する。
【０００２】
【従来の技術】
最近建物の外観を特異な意匠にする為や、室内の解放感を向上させる為に建物の外壁全体を複数のガラス板にて構成する所謂ガラススクリーン構法が採用されている。
【０００３】
この構法は、図９に示す通り、複数のガラス板２１間を、ドットポイント支持具３により支持するとともに、このドットポイント支持具３を、床２１と図示しない梁間に立設した支持柱８に固定するものである。ガラス板２１にかかる面圧（風圧、地震力）は通常支持柱８が受ける構造となっているが、支持柱８に固定されていないドットポイント支持具３においては上記面圧に抵抗できない。
【０００４】
そこで、支持柱８，８間に設けられているドットポイント支持具３，３…にワイヤーや鉄骨からなるトラス９を組み、複数のガラス板２１からなるガラススクリーンが建物の外壁として十分に機能するようにしている。
【０００５】
【発明が解決しようとする課題】
しかしながら、上記のガラススクリーン構法では、特異な意匠、例えば建物全体の透明感や解放感を創出することはできるが、保守管理等に支障をきたしている。例えば、トラス９をワイヤーにて形成した場合、外観意匠上は問題ないがワイヤートラスは室内側に大きく突出されるので室内側からガラス板２１への清掃などメンテナンスがむずかしくなる。
【０００６】
一方、ガラス板２１に対するメンテナンスを容易にする為、ドットポイント金具３に対応して支持柱８を設けたり、トラスを鉄骨フレームにて構成した場合、創出された建物独自の意匠、特に透明感（解放感）を大幅に低減させることになる。本発明は、上記のワイヤーや鉄骨によるトラスを構成することなく、かつ透明感を低減させることなくガラススクリーンの室内側を容易にメンテナンスできる大型ガラス面の支持構造を提供するものである。
【０００７】
【課題を解決するための手段】
本発明は、複数のガラス板の集合した隅部を支持具にて支持して構成した大型ガラス面の室内側を支持する構造において、前記大型ガラス面の室内側上下方向に亘って長尺平板状のガラスリブを、そのリブの側端面を前記ガラス板に対向させた状態で配置するとともに、前記支持具を該ガラスリブに取り付け、前記ガラスリブのうち床側近傍を、床上に立設した鉄骨柱にて接続したことを特徴とする大型ガラス面の支持構造に係るものである。また発明は、前記支持具は吊りワイヤを介して天井側躯体に引張されていることを特徴とするものである。また本発明は、前記ガラスリブと前記鉄骨柱との接続部分に照明具を組込んだことを特徴とするものである。
【０００８】
【発明の実施の形態】
図１は外壁をガラススクリーンによって構成した建物の正面概略図である。
この建物１の外壁は、玄関口等を除き複数のガラス板２１相互をドットポイント支持具３により支持したガラススクリーン、すなわち大型ガラス面２により構成されている。
斯かる大型ガラス面２は、図２に示す通り、複数のガラス板２１の集合した四隅を夫々ポイント支持するドットポイント支持具３により支持している。そして、縦方向に配列された各ドットポイント支持具３を、図示しない天井側躯体と床１２間に立設されたガラスリブ４にて保持している。
このガラスリブ４は、各ガラス板２１が受ける風圧力等に抵抗する所謂補強梁やリブの役割を果たしている。
又上記ドットポイント支持具３夫々は、吊りワイヤ６にて図示しない天井側躯体側に引張されている。すなわちこの吊りワイヤ６にてガラス板２１の鉛直方向荷重（自重）を受けもつ構造となっている。
【０００９】
図３は、ガラススクリーン構法をさらに詳しく説明する為の側面図である。
床１２と躯体梁１３の間に１本のガラスリブ４が設けられる。ガラスリブ４は長尺平板状の強化ガラスや合わせガラスからなり、その側端面をガラス板２１に対向させた状態で配置される。
上記ガラスリブ４はガラス板２１に直交した状態で配置される。その為ガラス板２１を通して建物の外側からはガラスリブ４の端面のみが看取され、ガラススクリーンの透明感を損なうことはない。
しかしながら、床１２の近傍では、人や台車が通ったり又床清掃具を使用するに際し、これらが床近傍のガラスリブ４に当接し、たとえリブが強化ガラスや合わせガラスであっても損傷することになる。これを防ぐ為、上記ガラスリブ４のうち床１２上から所定の高さまでを鉄骨柱５にて負担させる構造にする。そしてこの鉄骨柱５にドットポイント支持具３を固定することでガラススクリーンの面圧強度を大きくする。
【００１０】
図４は図３におけるＡ部の拡大図でその（ａ）は側面図、（ｂ）は正面図である。
すなわち図４の拡大図は、ガラスリブ４の上部を躯体梁１３に取り付けた構成を示す図である。
ガラス板２１の室内側に設けられたガラスリブ４は、その上部に保持金具４１が被着され、取付金具１４を介して天井側の躯体梁１３に固定されている。同様に下部は図示しない固定金具を介して床１２上に定着されている。又躯体梁１３の下面に取り付けられた吊り具６１にはドットポイント支持具３を吊り上げる吊りワイヤ６が接続されている。
【００１１】
図５は図３におけるＢ部の拡大図でその（ａ）は側面図、（ｂ）は正面図である。
４枚のガラス板２１の集合した隅部を１つのドットポイント支持具３にて支持したもので、この支持具は各ガラス板２１の隅部を固着するドット固定部３１とガラスリブ４を保持する。リブ保持部３２と、そしてこの固定部と保持部とを継ぐジョイント部３３からなっている。
いずれも穿設されたガラス孔を介してビス締めされる。
又ドット固定部３１にはワイヤ固定部３４が設けられ、上記吊り具６１との間に吊りワイヤ６が引張されている。
【００１２】
図６は図３におけるＣ部拡大図である。
すなわち、ガラスリブ４と鉄骨柱５との接続状態を説明する図で、（ａ）は側面図、（ｂ）は平面図である。
図例の如く、床１２上に所定高にて立設された鉄骨柱５の頭部に、固定板５２を介して受けブラケット４２が取り付けられる。そしてこの受けブラケット４２内にガラスリブ４の下部が嵌装される。
斯かる鉄骨柱５においても、上記同様各ガラス板２１の集合した隅部を保持するドット固定部３１と鉄骨柱５に取り付ける取付部３５とからなるドットポイント支持具３が設けられる。
又この支持具には上方のドットポイント支持具３との間で引張された吊りワイヤ６を固定するワイヤ固定部３４が設けられている。
【００１３】
図７は建物コーナ部、すなわちガラススクリーンのガラス板３１ａと３１ｂとが成す出隅部を説明するもので、（ａ）はその平面図、（ｂ）は側面図である。
出隅部の内部には、例えば、円管状の支持柱７が立設され、この柱に固定したドットポイント支持具のドット固定部３１ａでガラス板２１ａを、又他のドット固定部３１ｂでガラス板２１ｂをそれぞれ支持している。
上記ドット固定部３１ａ、３１ｂにもワイヤ固定部を介して吊りワイヤが引張されている。斯かる隅部において、前記同様ガラス板２１ａ、２１ｂが受ける面圧は支持柱７が受けもち、又ガラス板２１ａ、２１ｂの自重を天井側躯体からの吊りワイヤ６が受けもつ構造となっている。この支持柱７は床から天井に亘って立設されるが、場所が隅部である為、意匠上問題は少ない。すなわち、建物の透明感等を損なうことはない。
【００１４】
一方、前述した様に、床１２に立設した鉄骨柱５にガラスリブ４を接続させた構造においては、ガラスリブ４と鉄骨柱５の接続部分の意匠を向上させる為、照明器具等を組み込む。
例えば図８に示す通り、鉄骨柱５の上部を斜行（室内側に向けて低く）切断し、固定板５２をその斜行面Ｓから突出させた状態で固定する。固定板５２の上端には、ガラスリブ４の下部を嵌装する為の受けブラケット４２が取り付けられる。そして上記斜行面Ｓ上に図示しない配線により接続された照明具Ｗを組み込むとともに、その照明具Ｗをアクリル板５３に覆う。
ガラスリブ４と鉄骨柱５の接続部分に照明具Ｗを組み込んだことにより、この照明具Ｗを点燈させると、単に夜間の室内を特異な雰囲気にするだけでなく廊下等においては歩行燈の役割を果たすことになる。
【００１５】
【発明の効果】
以上説明した本発明の大型ガラス面の支持構造によれば、複数のガラス板が受ける面圧に対しガラスリブが補剛梁として十分な耐力を発揮する。
しかもガラスリブはその側端面をガラス板に対向（直交）させているので、大型ガラス面に対して最小限の占有面積となる。
すなわち、室内の透明感、解放感を損なうよりも、むしろ増加させ得るものである。
しかもガラスリブは上下方向に立設しかつその短辺側を室内側に突出させているので各ガラス板の清掃等メンテナンスに支障をきたすことはない。
その上、組み込まれた照明具を点燈することで、大型ガラス面の室内を特異な雰囲気にすることが可能となる。
【図面の簡単な説明】
【図１】建物の大型ガラス面を示す正面図である。
【図２】大型ガラス面の支持構造を説明する概略図である。
【図３】支持構造を説明する側面図である。
【図４】図３のＡ部詳細図である。
【図５】図３のＢ部詳細図である。
【図６】図３のＣ部詳細図である。
【図７】大型ガラス面の出隅部を説明する図である。
【図８】ガラスリブと鉄骨柱の接続部を示す図である。
【図９】従来の大型ガラス面の支持構造を説明する概略図である。
【符号の説明】
１…建物、２…大型ガラス面（ガラススクリーン）、３…ドットポイント支持具、４…ガラスリブ、５…鉄骨柱、６…吊りワイヤ、２１…ガラス板、Ｗ…照明具
【図１】
0004230098.tif 000002
【図２】
0004230098.tif 000003
【図３】
0004230098.tif 000004
【図４】
0004230098.tif 000005
【図５】
0004230098.tif 000006
【図６】
0004230098.tif 000007
【図７】
0004230098.tif 000008
【図８】
0004230098.tif 000009
【図９】
0004230098.tif 000010